(57)【要約】      （修正有）【課題】加湿用の容器用可能な、木製薄板から切り抜いた数枚の組立部材から、組み立てる造形模様の薄板加湿器を提供する。【解決手段】多孔質で吸水性を有する可撓性の薄板であって、長い帯状の木製素材で、該材質の平薄板の素材を屈曲して端部を接合した筒状にして底面を付けて、略円筒状、又は円錐台形状の容器体１を形成し、容器体に水を注入した水槽に、薄板円筒状容器の水槽内に導水性の高い長方体の木目方向薄板１〜５枚によってデザイン状を高めた形態の模様に造形して、各長方体の木目方向薄板の両端面を水に浸漬させた後に、薄板の全表面を水分の吸収、及び蒸発を高めた状態になっている。【選択図】図１
0003192808.tif 000002
【実用新案登録請求の範囲】
【請求項１】
多孔質で吸水性を有する可撓性の薄板であって、長い帯状の木製素材で、材質の平薄板の素材を屈曲して端部を接合した筒状体で底面、又は側面を付けて、略円筒状、又は円錐台形状の容器体を形成し、前記容器体を縦、又は横にした状態で使用して、水を注入した水槽に、該薄板円筒状容器の水槽内に導水性の高い長方体の木目方向薄板１〜５枚によってデザイン状を高めた形態の模様に造形して、各長方体の木目方向薄板の両端面を水に浸漬させた後に、薄板の全表面を水分の吸収、及び蒸発を高めた状態になっていることを特徴とする造形模様の薄板加湿器。
【請求項２】
平薄板は、厚さ０．１〜２ｍｍで、幅２０〜２００ｍｍ、長さ１００〜１０００ｍｍの長方体であって、杉木、檜木、樅木、マツ木、ヒバ木の木質から選ばれた材料で、杢目方向にスライスした面を持つ木製板であることを特徴とする請求項１の造形模様の薄板加湿器。
【請求項３】
前記加湿薄板容器体の水槽は、円筒状、円錐台形状で、縦、又は横にした状態にして使用され、横にした場合には両側面を塞ぎ、上面を開けた状態にある円筒状にしており、容積として１００〜５０００ｍＬで、直径１００〜３００ｍｍ、高さ１００〜３００ｍｍであることを特徴とする請求項１又は請求項２の造形模様の薄板加湿器。
【請求項４】
導水性の高い木目方向の面を持つ長方体薄板は、幅２０〜２００ｍｍ、長さ３００〜１０００ｍｍで、これら薄板２〜５枚を加工して、デザイン性の花模様、動物模様、植物模様に造形して、水槽の加湿薄板容器体に挿入していることを特徴とする請求項１〜請求項３のいずれかに記載の造形模様の薄板加湿器。
【請求項５】
前記加湿薄板容器体である水槽の組立が，該底部本体の短手方向に横側面の溝を介して連なる，一対の略台形状、及び略円筒形状の円形状底面を横側面部に設け，折り曲げ手段を用いて押圧して隙間なく保持して、隙間部には接着剤にて埋めていることを特徴とする請求項１〜請求項４のいずれかに記載の造形模様の薄板加湿器。
【考案の詳細な説明】
【技術分野】
【０００１】本考案は，加熱・加湿調理用の容器兼用可能な，木製薄板から切り抜いた数枚の組立部材から，組み立てるデザイン性薄板加湿器に関する。とくに薄板の加工によって種々の意匠性加湿用木製容器に関するものである。
【背景技術】
【０００２】加湿器として、多孔質で吸水性を有する合成樹脂材料をコの字形に形成した加湿体の一端を水槽内の水に浸漬し、矢印方向の空気流内に配置した蒸発式加湿器の従来構成の例を示したものであって、該構成では加湿体が静止しているから、加湿時間の経過と共に加湿体の吸水性が損われ、加湿能力が低下すると云う問題、加湿むらの発生と水槽内の水の劣化の問題があり、又加湿体の蒸発面積を確保するため、複数個の板状の部材を間隔に置いて固定する必要があって、加湿体の構成に多くの工数を必要とし、コスト高となる。【０００３】従来技術の木製包装容器は，上部が開口した所望する高さの容器体の場合，「加熱・加湿調理用の容器兼用の木製包装容器」があり，一枚の木製薄板材から，所定の箇所に罫線を設け，該罫線に沿って折り曲げ，所定の連結片同士を係止して，所望する高さの該容器体を確保されていた。しかし木製の加湿器においては、存在が少なかった。【０００４】一方吸水性を有する合成樹脂材料からなる段ボール状の帯状素材を回転軸に巻きつけて加湿回転体を形成し、空調機内の空気流路に配置した水槽に、回転軸を水平かつ空気流方向に、回転自在に配置し、加湿回転体の一部下方部分を水槽内の水に浸漬させて回転させる構成であるものが提案されていた（特許文献１参照）。【０００５】さらに加熱・加湿調理用の容器兼用可能な，木製薄板から切り抜いた３枚の組立部材から，組み立てる薄板組立式加熱・加湿調理用容器も提供することが提案されている（特許文献２参照）。【０００６】また木製薄板材を用い、容器本体の略矩形状の底部、そして該底部と縦方向に連なる，容器本体の両端部を、該薄板材の木目と同一方向に一体に設け、さらに、前記底部に連なる縁部も、底部と一体に設け、これら縁部には、それぞれ両端部の外側で連結する連結片を縁部の両端に一体に設け、これら連結片には、連結用のスリットを設け、これら薄板材の外側必要箇所に罫線を設けたことを特徴とする加熱・加湿調理用の容器兼用の木製包装容器が提案されている（特許文献３参照）。
しかし装飾性を持った多孔性の木材で薄板容器を使用した加湿器の存在はほとんど存在していない。
【先行技術文献】
【特許文献】
【０００７】
【特許文献１】実開平０６−０３５８３９号
【特許文献２】特開２００５−０１４９３１５号
【特許文献３】実用新案登録第３０７７４１９号
【考案の概要】
【考案が解決しようとする課題】
【０００８】従来技術の木製包装容器において、加熱・加湿調理用の容器兼用の木製包装容器の場合は，一枚の木製薄板材から，所定の箇所を折り曲げ，所定の連結片同士を係止しているので，折り曲げ手段を実行すると，その折り曲げ箇所で破損等が煩雑に発生し，折り曲げ組立効率が低下すると共に，更に隙間が空き，またラップ掛けとか包装において強度を持たせない問題点があった。水を入れても漏洩が多くなる欠点を持っている。【０００９】木製加湿体全体が一様に吸水すると共に、薄板加湿体を形成する素材の全表面が一様に空気流に接触して吸水の蒸発に関与し、加湿体が占める空間容積に比して大きい加湿能力を有し、水を吸収した薄板が加湿体表面の特定部分に集中的に付着して、短い加湿期間に加湿体で均一的な吸水能力が損われることがなく、デザイン性を持った薄板造形模様における形状によって、吸水、発散効果を高めたものを、かつ少い工数で低コストの木製薄板加湿体を構成することができるデザイン性蒸発式加湿器を得ることが本考案の課題である。
【課題を解決するための手段】
【００１０】上記の問題点を解決するために，本考案の木製薄板容器は，容器本体が，それぞれ一枚の木製薄板から切り抜いた数枚の組立部材から，特に接着剤等の貼着手段を用いて，組立手段のみを用いて，組み立てる組立構造を有する該容器本体である事を特徴とする。【００１１】多孔質で吸水性を有する可撓性の薄板であって、長い帯状の木製素材で、該素材と同材質の平薄板の素材を屈曲して端部を接合した筒状にして底面、又は側面を付けて、略円筒状、又は円錐台形状の容器体を形成し、前記容器体を縦、又は横にした状態で使用して、水を注入した水槽に、該薄板円筒状容器の水槽内に導水性の高い長方体の木目方向薄板１〜５枚によってデザイン状を高めた形態の模様に造形して、各長方体の木目方向薄板の両端面を水に浸漬させた後に、薄板の全表面を水分の吸収、及び蒸発を高めた状態になっている造形模様の薄板加湿器である。【００１２】平薄板は、厚さ０．１〜２ｍｍで、幅２０〜２００ｍｍ、長さ１００〜１０００ｍｍの長方体であって、杉木、檜木、樅木、マツ木、ヒバの木質から選ばれた材料で、杢目方向にスライスした面を持つ木製板である。木材において水分を吸収、通管する導管は、木目方向に存在しており、また木材の木目としては板目、柾目、杢目があるが、その中で導管を多く持っている柾目が特に有効である。【００１３】前記加湿薄板容器体の水槽は、円筒状、円錐台形状であって縦、又は横にした状態にして使用され、横にした場合には両側面を塞ぎ、上面を開けた状態にある円筒状にしており、容積として１００〜５０００ｍＬで、直径１００〜３００ｍｍ、高さ１００〜３００ｍｍである。水槽は薄板の容器で構成され、その表面からも水分の揮発を持ち、また薄板の材料であるために強度的にも大きい形状ものが難しい。しかし加湿効果をもたらすためには長時間の持続が必要であるので、上記の形状寸法の範囲が好ましい。【００１４】導水性の高い木目方向の面を持つ長方体薄板は、幅２０〜２００ｍｍ、長さ３００〜１０００ｍｍで、これら薄板２〜５枚を加工して、デザイン性の花模様、動物模様、植物模様に造形して、水槽の加湿薄板容器体に挿入している。デザイン性を高める花模様、動物模様、植物模様の造形は、上記の寸法の薄板を数枚使用して、組み立て、加工によって、上記模様の造形物を水槽状に位置するものである。【００１５】前記加湿薄板容器体である水槽の組立が，該底部本体の短手方向に横側面の溝を介して連なる，一対の略台形状、及び略円筒形状の円形状底面を横側面部に設け，折り曲げ手段を用いて押圧して隙間なく保持して、隙間部には接着剤にて埋めている。
【考案の効果】
【００１６】薄板体は水槽内の水中に浸漬している間に吸水すると共に木製薄板全体が一様に水でうるおう。薄板の素材全表面が有効に蒸発面として作用し、占める空間容積の割合に大きい加湿能力を得ることができる。また薄板の数枚の組み合わせによる造形によって装飾性をもたらされる。【００１７】薄板で水に浸漬することによって、木製薄板の木目の導管に沿って水分が上昇して、薄板全体に水分をもたらして、揮発して加湿効果を持たさす。又水中に浸漬する部分は水中で移動することによって、加湿薄板素材表面に付着する同様吸水性が長期にわたって確保される。とくに部屋内の装飾品として、加湿器として二重の効果を持っている。【００１８】薄板の加湿体は、所要の加湿能力が得られる回数だけでなく、長時間で吸水性帯状素材を作ることができ、薄板の円板に間隔を明けて取付ける場合のように、間隔をあけるための部材を必要とせず、所要部品点数と工数が小さくコスト的に有利である。【００１９】本考案のデザイン性薄板加湿器は，容器本体が，それぞれ数枚の木製薄板から切り抜いた組立部材から，特殊な貼着手段を用いずに，安全な接着剤によっての組立手段のみを用いているので，加熱・加湿しても，有害物質の発散がない。【００２０】デザイン性薄板加湿器は木目を有する木製薄板材から，組立形成するので，外観装飾機能を有し，板紙に比べて，水分吸収に対して強度持つので，部屋内装飾用、或は店頭陳列用の容器体として用いられ、しかも廃棄する場合にも、木材であり、リサイクル効果をも有し，環境に優しい廃棄も容易である効果をも有する。
【図面の簡単な説明】
【００２１】
【図１】デザイン性薄板加湿器（縦型）の斜視図。
【図２】デザイン性薄板加湿器の円筒容器と材料の図  Ａ：容器  Ｂ：円筒用平板、Ｃ：底板、Ｄ：造形板１、Ｅ：造形板２
【図３】デザイン性薄板加湿器の薄板デザイン性造形模様入り容器の斜視図。
【図４】デザイン性薄板加湿器の横型容器の斜視図。
【考案を実施するための形態】
【００２２】本考案のデザイン性薄板加湿器は，容器本体が，それぞれ一枚の所定の厚みの木製薄板を，側壁組立，そして底部組立からなる３枚の組立部材から，接着剤等の貼着手段にして，折り曲げ手段と係止手段とから成る組立手段のみを用いて，組み立てる組立構造を有する該容器本体であって，該容器本体は，上方向に略円筒形状の開口縁部を有している。
【実施例１】
【００２３】多孔質で吸水性を有する可撓性の薄板であって、長い帯状の木製素材で、該素材と同材質の平薄板の素材を屈曲して端部を接合した筒状にして底面を付けて、略円筒状、又は円錐台形状の容器体を形成し、前記容器体に水を注入した水槽に、該薄板円筒状容器の水槽内に導水性の高い長方体の木目方向薄板１〜５枚によってデザイン状を高めた形態の模様に造形して、各長方体の木目方向薄板の両端面を水に浸漬させた後に、薄板の全表面を水分の吸収、及び蒸発を高めた状態にした。【００２４】平薄板は、杉材の厚さ０．８ｍｍで、幅１５０ｍｍ、長さ５００ｍｍの長方体であって、杉木から選ばれた薄板材料で、木目方向にスライスした面を持つ木製板を使用した。前記加湿薄板容器体の水槽は、円筒状形状であって、容積として３０００ｍＬで、直径１６０ｍｍ、高さ１５０ｍｍにした。【００２５】導水性の高い木目方向の面を持つ長方体薄板は、厚さ０．５ｍｍ、幅５０ｍｍ、長さ８００ｍｍで、これら薄板３枚を加工して、デザイン性の花模様に造形して、上記の水槽の加湿薄板容器体に挿入した。前記加湿薄板容器体である水槽の組立が，該底部本体の短手方向に横側面の溝を介して連なる略円筒形状の円形状底面を横側面部に設け，折り曲げ手段を用いて押圧して隙間なく保持して、隙間部には接着剤にて埋めた造形模様の薄板加湿器を製作した。この中に水１５００ｍＬを入れて、２３℃の部屋に放置しておいたところ、２０時間で５００ｍＬの水が蒸発していた。それによって部屋の加湿ができるとともに、部屋の癒しと装飾もできた。
【実施例２】
【００２６】多孔質で吸水性を有する可撓性の薄板であって、長い帯状の木製素材で、該素材と同材質の平薄板の素材を屈曲して端部を接合した筒状にして底面を付けて、略円筒状、又は円錐台形状の容器体を形成し、前記容器体に水を注入した水槽に、該薄板円筒状容器の水槽内に導水性の高い長方体の木目方向薄板１〜５枚によってデザイン状を高めた形態の模様に造形して、各長方体の木目方向薄板の両端面を水に浸漬させた後に、薄板の全表面を水分の吸収、及び蒸発を高めた状態にした。【００２７】平薄板は、杉の厚さ０．８ｍｍで、幅１２０ｍｍ、長さ４００ｍｍの長方体であって、杉木から選ばれた材料で、杢目方向にスライスした面を持つ木製板を使用した。前記加湿薄板容器体の水槽は、円筒状形状であって、容積として１５０００ｍＬで、直径１７０ｍｍ、高さ１２０ｍｍにした。【００２８】導水性の高い木目方向の面を持つ長方体薄板は、幅４０ｍｍ、長さ９００ｍｍで、これら薄板３枚を加工して、デザイン性の花模様に造形して、水槽の加湿薄板容器体に挿入した。前記加湿薄板容器体である水槽の組立が，該底部本体の短手方向に横側面の溝を介して連なる略円筒形状の円形状底面を横側面部に設け，折り曲げ手段を用いて押圧して隙間なく保持して、隙間部には接着剤にて埋めた造形模様の薄板加湿器を製作した。【００２９】この中に水８０００ｍＬを入れて、２０℃の部屋に放置しておいたところ、２０時間で２０００ｍＬの水が蒸発していた。それによって部屋の加湿ができるとともに、部屋の癒しと装飾もできた。
【実施例３】
【００３０】多孔質で吸水性を有する可撓性の薄板であって、長い帯状の木製素材で、該素材と同材質の平薄板の素材を屈曲して端部を接合した筒状にして底面を付けて、略円筒状、又は円錐台形状の容器体を形成し、前記容器体に水を注入した水槽に、該薄板円筒状容器の水槽内に導水性の高い長方体の木目方向薄板１〜５枚によってデザイン状を高めた形態の模様に造形して、各長方体の木目方向薄板の両端面を水に浸漬させた後に、薄板の全表面を水分の吸収、及び蒸発を高めた状態にした。【００３１】平薄板は、モミ材の厚さ０．８ｍｍで、幅１００ｍｍ、長さ３００ｍｍの台形体であって、モミ木から選ばれた材料で、杢目方向にスライスした面を持つ木製板を使用した。前記加湿薄板容器体の水槽は、台形状形状であって、容積として１００００ｍＬで、上部直径１２０ｍｍ、下部直径１００ｍｍ、高さ１２０ｍｍにした。【００３２】導水性の高い木目方向の面を持つ長方体薄板は、幅３０ｍｍと５０ｍｍ、長さ５００ｍｍと６００ｍｍで、これら薄板３枚を加工して、デザイン性の花模様に造形して、水槽の加湿薄板容器体に挿入した。前記加湿薄板容器体である水槽の組立が，該底部本体の短手方向に横側面の溝を介して連なる略円筒形状の円形状底面を横側面部に設け，折り曲げ手段を用いて押圧して隙間なく保持して、隙間部には接着剤にて埋めた造形模様の薄板加湿器を製作した。【００３３】この中に水７０００ｍＬを入れて、２０℃の部屋に放置しておいたところ、２０時間で１０００ｍＬの水が蒸発していた。それによって部屋の加湿ができるとともに、部屋の癒しと装飾もできた。
【符号の説明】
【００３４】１  容器
２  側壁板
３  溝部
４  底
５  木目
６  薄板
７  接合部
８  造形板（１），（２）
９  導管
１０  水槽
１１  水
１２  加湿器
１３  皿
１４  円筒用平板
１５  底板
１６  固定部
【図１】
0003192808.tif 000003
【図２】
0003192808.tif 000004
【図３】
0003192808.tif 000005
【図４】
0003192808.tif 000006